(57)【要約】【課題】離岸流に対する抵抗が少なく、しかも、海藻付着による腐食を防止することができ、海水浴場または河川における遊泳者を水難事故から守ることができる安全ネットを提供する。【解決手段】海水浴場または河川における遊泳者を水難事故から守る安全ネットであって、前記安全ネットにおける網の升目幅を５ｃｍ以上、１５ｃｍ以下とし、該安全ネットの上部に浮きを設けて、該安全ネットの上端を２０ｃｍ以上、５０ｃｍ以下の範囲で海面から突出させることを特徴とする安全ネット。【選択図】    図１
2005082000.tif 000002
【特許請求の範囲】
【請求項１】
海水浴場または河川における遊泳者を水難事故から守る安全ネットであって、前記安全ネットにおける網の升目幅を５ｃｍ以上、１５ｃｍ以下とし、
該安全ネットの上部に浮きを設けて、該安全ネットの上端を２０ｃｍ以上、５０ｃｍ以下の範囲で海面から突出させることを特徴とする安全ネット。
【請求項２】
さらに、海水浴場または河川における遊泳領域の一定間隔ごとにコースロープを設置することを特徴とする安全ネット。
【請求項３】
さらに、海水浴場または河川における遊泳領域の水深が浅い場所に升目幅が２ｃｍ以下の子供用網を用いた子供用遊泳領域を設け、
前記遊泳領域の水深が深い場所に監視台を設けることを特徴とする安全ネット。
【発明の詳細な説明】
【技術分野】
【０００１】
本発明は、海水浴場または河川における遊泳者を水難事故から守る安全ネットに関する。
【背景技術】
【０００２】
海水浴場または河川における水難者は年間２０００名以上発生しており、救命組織を設けて改善しているが、抜本的な対策には至っていなかった。
例えば、海岸線の地形と潮流の影響で、いわゆる離岸流が発生すると、浅瀬から沖まで一気に押し流されて溺れるケースや、くらげ、おこぜ、磯巾着など遊泳者にとって有害な生物が遊泳領域に侵入して遊泳者が刺されるケースなどがあった。
特に、遊泳者は離岸流にさらわれると気持ちが動転して、背の届く場所でも溺れてしまうケースがあるため、万一の場合に遊泳者を慌てることなく安心して遊泳できる海水浴場や河川が望まれていた。
【０００３】
そこで、海水浴場に防護網を設けて遊泳者を守ることが提案されており、例えば、特開平７−１５８０４１号公報には、長方形に形成した多数の帯状府浮遊体を横方向に連結することによって、組み立ておよび分解が簡単であり、少ない人手で、しかも短時間に設置および引き上げができる海水浴場の防護網が開示されている。
しかし、特開平７−１５８０４１号公報に開示された従来の防護網の升目幅は５ｃｍ未満と小さかったため、離岸流に対する抵抗が大きく切断の危険性が高いうえ、使用中にすぐに海藻が付着して網が腐食し易いうえ、海藻の付着により離岸流に対する抵抗を増加させるという問題点があった。
また、従来の防護網は水面下のみに設置されていたため、遊泳者が離岸流に流されると簡単に防護網の外に押し出されるという問題点があった。
【特許文献１】特開平７−１５８０４１号公報
【発明の開示】
【発明が解決しようとする課題】
【０００４】
そこで、本発明は、離岸流に対する抵抗が少なく、しかも、海藻付着による腐食を防止することができ、海水浴場または河川における遊泳者を水難事故から守ることができる安全ネットを提供することを課題とする。
【課題を解決するための手段】
【０００５】
本発明は、海水浴場または河川における安全ネットの構造を工夫することにより、離岸流に対する抵抗が少なく、しかも、海藻付着による腐食を防止することができ、海水浴場または河川における遊泳者を水難事故から守ることができる安全ネットを提供するものであり、その要旨とするところは、特許請求の範囲に記載した通りの下記内容である。
【０００６】
（１）海水浴場または河川における遊泳者を水難事故から守る安全ネットであって、前記安全ネットにおける網の升目幅を５ｃｍ以上、１５ｃｍ以下とし、
該安全ネットの上部に浮きを設けて、該安全ネットの上端を２０ｃｍ以上、５０ｃｍ以下の範囲で海面から突出させることを特徴とする安全ネット。
（２）さらに、海水浴場または河川における遊泳領域の一定間隔ごとにコースロープを設置することを特徴とする安全ネット。
（３）さらに、海水浴場または河川における遊泳領域の水深が浅い場所に升目幅が２ｃｍ以下の子供用網を用いた子供用遊泳領域を設け、
前記遊泳領域の水深が深い場所に監視台を設けることを特徴とする安全ネット。
【発明の効果】
【０００７】
本発明によれば、海水浴場または河川における安全ネットの構造を工夫することにより、離岸流に対する抵抗が少なく、しかも、海藻付着による腐食を防止することができ、海水浴場または河川における遊泳者を水難事故から守ることができる安全ネットを提供することができ、産業上有用な著しい効果を奏する。
【発明を実施するための最良の形態】
【０００８】
本発明を実施するための最良の形態を図１および図２を用いて詳細に説明する。
図１は、本発明の安全ネットの実施形態を例示する図である。
図１において、１は網、２は浮き、３はアンカー、４は監視台、５はコースロープ、６は子供用網を示す。
本発明は、海水浴場または河川における遊泳者を水難事故から守る安全ネットであって、前記安全ネットにおける網の升目幅を５ｃｍ以上、１５ｃｍ以下とし、該安全ネットの上部に浮きを設けて、該安全ネットの上端を２０ｃｍ以上、５０ｃｍ以下の範囲で海面から突出させることを特徴とする。
図１において、網１の升目幅を５ｃｍ以上、１５ｃｍ以下とする。
ここに升目幅とは、図２の右下の詳細図に示すように網の縦横の１区画の長さＤをいう。
従来の安全ネットは升目幅が２ｃｍ程度の細かい網を用いていたため、離岸流に対する抵抗力が大きく切断の危険性があるうえ、使用中に海藻が付着して腐食し易かった。
【０００９】
そこで、本発明においては、安全ネットに使用する網１の升目幅を５ｃｍ以上とすることにより、離岸流に対する抵抗を小さくするとともに、海藻の付着を防止して腐食しにくくすることができる。
また、安全ネットに使用する網１の升目幅を１５ｃｍ以下とすることで遊泳者が誤って網を抜けないようにすることができる。
なお、本発明においては、網の太さや材質は問わないが、強度および耐久性の観点から直径１ｍｍ程度の樹脂製のものが好ましい。
【００１０】
また、本発明の安全ネットは、該安全ネットの上部に例えば２５ｍ間隔で浮き２を設けて、該安全ネットの上端を２０ｃｍ以上、５０ｃｍ以下の範囲で海面から突出させる。
すなわち、図２に示す海面から安全ネットの上端までの長さＬを２０ｃｍ以上とすることにより、遊泳者が簡単に乗り越えられないようにすることができるうえ、このＬを５０ｃｍ以下の範囲とすることによって、風や波によって、安全ネットが流されにくくすることができる。
【００１１】
また、安全ネットの周囲にアンカー３を設けて、前述の浮き２を海底から引っ張ることによって、安全ネットが流されないようにすることができる。
なお、本発明においてはアンカーの大きさや材質は問わないが、離岸流によって安全ネットが流されないためには、１ケ所当たり２００ｋｇ程度の金属製の錨を用い、直径１６ｍｍ程度のタフラインロープにて前述の浮きに連結することが好ましい。
さらに、海水浴場または河川における遊泳領域の縦横の一定間隔ごと（例えば横は２５ｍごと、縦は３０ｍごと）にコースロープ５を設置することによって、万一遊泳者が溺れた場合に救命ロープとしての役割を果たすことができるうえ、遊泳者同士が接触しにくくすることによって快適な遊泳を実現することができる。
なお、本発明においてはコースロープ５の太さや材質は問わないが、遊泳者が掴み易くするために直径２４ｍｍ〜２８ｍｍの浮きを連ねたコースロープが好ましい。
さらに、海水浴場または河川における遊泳領域の水深が浅い場所に升目幅が２ｃｍ以下の子供用網を用いた子供用遊泳領域６を設けることにより、子供も安全な遊泳を楽しむことができる。
【００１２】
前述の網１の升目幅は５ｃｍ以上、１５ｃｍ以下なので、小さな子供の手足は簡単に入ってしまうため、遊泳領域の水深が浅い場所に子供でも手足が簡単に抜けない升目幅が２ｃｍ以下の子供用網を用いた子供用遊泳領域６を設けることにより、子供も安全な遊泳を楽しむことができる。
また、前記遊泳領域の水深が深い場所に監視台４を設けることにより、安全ネットを越えて外に出ようとする遊泳者や溺れかけている遊泳者を監視することができる。
本発明においては、監視台４の構造は問わないが、構造が簡単で使い易いので、木材などで作ったいかだ状のものが好ましい。
【００１３】
図２は、本発明の安全ネットの側面展開図である。
図２において、１は網、２,２´は浮き、４は監視台、６は子供用網、７は沈子を示す。
図２に示すように、本発明の安全ネットの上端は浮き２,２´により浮力が与えられているので２０ｃｍ以上５０ｃｍ以下の範囲で海面に突出させることができる。
このように、大小の浮き２および２´を用いることによって、遊泳者が掴まり易くすることができる。
また、子供用網６は、岸寄りの浅瀬に設置し、網の底を安全ネットの上端から１ｍ程度の位置に設置することによって小さな子供でも安全遊泳することができる。
【００１４】
さらに、監視台４は水面近くに設置することによって、安全ネットを乗り越えたり、おぼれかけたりしている遊泳者を簡単に発見することができる。
なお、安全ネットの下端には、例えばステンレス製の沈子を設置することにより、安全ネットを海底に安定して設置することができる。
さらに、本発明の安全ネットは、杭などの恒久的な構造ではなく、アンカーや沈子により固定する簡単な構造なので、海水浴シーズンが終わったら簡単に取り外すことができ、また、次のシーズンに簡単に設置することができる。
【図面の簡単な説明】
【００１５】
【図１】本発明の安全ネットの実施形態を例示する図である。
【図２】本発明の安全ネットの側面展開図である。
【符号の説明】
【００１６】
１  網
２、２´  浮き
３  アンカー
４  監視台
５  コースロープ
６  子供用網
７  沈子
【図１】
2005082000.tif 000003
【図２】
2005082000.tif 000004
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
海水浴場または河川における遊泳領域の一部を仕切って、水難事故から遊泳者を守る安全ネットであって、
前記安全ネットにおける網の升目幅を５ｃｍ以上、１５ｃｍ以下とし、
該安全ネットの上部に浮きを設けて、該安全ネットの上端を水面から２０ｃｍ以上突出させ、
前記海水浴場または河川における遊泳領域の一定間隔ごとにコースロープを設置して命綱にすることを特徴とする安全ネット。
【請求項２】
さらに、海水浴場または河川における遊泳領域の水深が浅い場所に升目幅が２ｃｍ以下の子供用網を用いた子供用遊泳領域を設け、
前記遊泳領域の水深が深い場所に監視台を設けることを特徴とする請求項１に記載の安全ネット。
【手続補正２】
【補正対象書類名】明細書
【補正対象項目名】０００６
【補正方法】変更
【補正の内容】
【０００６】
（１）海水浴場または河川における遊泳領域の一部を仕切って、水難事故から遊泳者を守る安全ネットであって、
前記安全ネットにおける網の升目幅を５ｃｍ以上、１５ｃｍ以下とし、
該安全ネットの上部に浮きを設けて、該安全ネットの上端を水面から２０ｃｍ以上突出させ、
前記海水浴場または河川における遊泳領域の一定間隔ごとにコースロープを設置して命綱にすることを特徴とする安全ネット。
（２）さらに、海水浴場または河川における遊泳領域の水深が浅い場所に升目幅が２ｃｍ以下の子供用網を用いた子供用遊泳領域を設け、
前記遊泳領域の水深が深い場所に監視台を設けることを特徴とする請求項１に記載の安全ネット。